(57)【要約】【課題】ユーザが内蓋の付け忘れに容易に気付くことができる上に、衝突による部品の破損を防ぐことができる電気炊飯器を提供する。【解決手段】蓋体２は、外蓋２１と、この外蓋の内側に着脱可能に取り付けられる内蓋とを有する。外蓋２１に内蓋が取り付けられた場合、可動部材１００は、ラッチフック１０１を、フックボタン４に係止可能な位置に移動させて、内蓋を有する蓋体２が閉じられ時に、ラッチフック１０１がフックボタン４に係止して蓋体２がロックされるようにする。一方、外蓋２１から内蓋が取り外された場合、可動部材１００は、ラッチフック１０１を、フックボタン４との係止を解除する位置に移動させて、内蓋を有しない蓋体２が閉じられた時に、蓋体２がスプリングの付勢力で開放するようにする。【選択図】図８
2011156216.tif 000002
【特許請求の範囲】
【請求項１】
被加熱物を収容する内鍋と、
上記内鍋が収納される炊飯器本体と、
外蓋と、この外蓋の内側に着脱可能に取り付けられる内蓋とを有し、上記炊飯器本体に回動可能に取り付けられ、閉方向に回動して上記内鍋を覆うことが可能な蓋体と、
上記蓋体を開方向に付勢する付勢部と、
上記炊飯器本体に設けられた被係止部と、
上記外蓋に移動可能に取り付けられ、上記被係止部に係脱可能な係止部と、
上記外蓋に対する上記内蓋の着脱に連動して移動すると共に、上記外蓋に上記内蓋が取り付けられた場合に、上記係止部を、上記被係止部に係止可能な位置に移動させて、上記内蓋を有する上記蓋体が閉じられた時に、上記係止部が上記被係止部に係止して上記蓋体がロックされるようにする一方、上記外蓋から上記内蓋が取り外された場合に、上記係止部を、上記被係止部との係止を解除する位置に移動させて、上記内蓋を有しない上記蓋体が閉じられた時に、上記蓋体が上記付勢部の付勢力で開放するようにする係止部作動機構と
を備えたことを特徴とする電気炊飯器。
【請求項２】
請求項１に記載の電気炊飯器において、
上記係止部作動機構は、上記外蓋に上記内蓋が取り付けられた場合に、上記内蓋の取り外しを阻止する阻止部材を有することを特徴とする電気炊飯器。
【請求項３】
請求項２に記載の電気炊飯器において、
上記係止部作動機構は、ユーザが上記係止部を予め設定された位置に移動させた場合に、上記阻止部材の上記内蓋の取り外しを阻止を解除する解除部材を有することを特徴とする電気炊飯器。
【発明の詳細な説明】
【技術分野】
【０００１】
本発明は電気炊飯器に関する。
【背景技術】
【０００２】
従来、電気炊飯器としては、特開２０００−２３８３４号公報（特許文献１）に開示されたものがある。この電気炊飯器は、被加熱物の米を収容する内鍋と、この内鍋が収納される炊飯器本体と、この炊飯器本体の上部に回動可能に取り付けられた蓋体とを備えている。
【０００３】
上記蓋体は、閉鎖時に外側に位置する外蓋と、閉鎖時に内側に位置すると共に、着脱可能な内蓋と、この内蓋の外蓋への着脱に連動する閉鎖阻止部材とを有する。
【０００４】
上記外蓋に内蓋を取り付けて蓋体を閉鎖する場合、蓋体を閉じた時、閉鎖阻止部材は内鍋に衝突しなくて、蓋体を閉鎖状態にすることができる。一方、上記外蓋から内蓋を取り外すと、閉鎖阻止部材は、蓋体の閉鎖時に内鍋に衝突する位置に移動して、内蓋を有さない蓋体を閉じた時、閉鎖阻止部材は内鍋に衝突して、蓋体の閉鎖を阻止する。その結果、上記蓋体は半開き状態になる。
【０００５】
このように、上記従来の電気炊飯器では、蓋体が内蓋を有していないと、閉鎖阻止部材が内鍋に衝突して、蓋体が半開き状態となるので、ユーザは内蓋の付け忘れに容易に気付くことができる。
【０００６】
しかしながら、上記従来の電気炊飯器には、閉鎖阻止部材が内鍋に衝突するため、閉鎖阻止部材または内鍋が破損してしまうという問題がある。
【先行技術文献】
【特許文献】
【０００７】
【特許文献１】特開２０００−２３８３４号公報（図２，図５）
【発明の概要】
【発明が解決しようとする課題】
【０００８】
そこで、本発明の課題は、ユーザが内蓋の付け忘れに容易に気付くことができる上に、衝突による部品の破損を防ぐことができる電気炊飯器を提供することにある。
【課題を解決するための手段】
【０００９】
上記課題を解決するため、本発明の電気炊飯器は、
被加熱物を収容する内鍋と、
上記内鍋が収納される炊飯器本体と、
外蓋と、この外蓋の内側に着脱可能に取り付けられる内蓋とを有し、上記炊飯器本体に回動可能に取り付けられ、閉方向に回動して上記内鍋を覆うことが可能な蓋体と、
上記蓋体を開方向に付勢する付勢部と、
上記炊飯器本体に設けられた被係止部と、
上記外蓋に移動可能に取り付けられ、上記被係止部に係脱可能な係止部と、
上記外蓋に対する上記内蓋の着脱に連動して移動すると共に、上記外蓋に上記内蓋が取り付けられた場合に、上記係止部を、上記被係止部に係止可能な位置に移動させて、上記内蓋を有する上記蓋体が閉じられた時に、上記係止部が上記被係止部に係止して上記蓋体がロックされるようにする一方、上記外蓋から上記内蓋が取り外された場合に、上記係止部を、上記被係止部との係止を解除する位置に移動させて、上記内蓋を有しない上記蓋体が閉じられた時に、上記蓋体が上記付勢部の付勢力で開放するようにする係止部作動機構と
を備えたことを特徴としている。
【００１０】
上記構成によれば、上記係止部作動機構は、外蓋に内蓋が取り付けられた場合に、係止部を、被係止部に係止可能な位置に移動させて、内蓋を有する蓋体が閉じられた時に、係止部が被係止部に係止して蓋体がロックされるようにする。
【００１１】
一方、上記係止部作動機構は、外蓋から内蓋が取り外された場合に、係止部を、被係止部との係止を解除する位置に移動させる。つまり、上記係止部が被係止部に係止不可能な位置に移動する。これにより、上記内蓋を有しない蓋体が閉じられた時に、係止部が被係止部に係止せず、蓋体が付勢部の付勢力で開放する。
【００１２】
したがって、ユーザが外蓋に内蓋を付け忘れた場合、蓋体を閉じても、蓋体が付勢部の付勢力で開放するので、内蓋の付け忘れに容易に気付くことができる。
【００１３】
また、従来（特開２０００−２３８３４号公報）の如く、外蓋に内蓋を取り付けていない場合に、蓋体を半開きにするために、部材同士を衝突させるのではなくて、外蓋に内蓋を取り付けていない場合に、付勢部の付勢力によって蓋体を開放させるために、係止部の被係止部への係止を不可能にするので、衝突による部品の破損を防ぐことができる。
【００１４】
一実施形態の電気炊飯器では、
上記係止部作動機構は、上記外蓋に上記内蓋が取り付けられた場合に、上記内蓋の取り外しを阻止する阻止部材を有する。
【００１５】
上記実施形態によれば、上記係止部作動機構は、外蓋に内蓋が取り付けられた場合に、内蓋の取り外しを阻止する阻止部材を有するので、例えば子供の悪戯による内蓋の取り外しを防ぐことができる。
【００１６】
一実施形態の電気炊飯器では、
上記係止部作動機構は、ユーザが上記係止部を予め設定された位置に移動させた場合に、上記阻止部材の上記内蓋の取り外しの阻止を解除する解除部材を有する。
【００１７】
上記実施形態によれば、上記係止部作動機構は、ユーザが係止部を予め設定された位置に移動させた場合に、阻止部材の阻止動作を解除する解除部材を有するので、ユーザは外蓋から内蓋を簡単に取り外すことができる。
【発明の効果】
【００１８】
本発明の電気炊飯器によれば、外蓋に対する内蓋の着脱に連動して移動すると共に、外蓋に内蓋が取り付けられた場合に、係止部を、被係止部に係止可能な位置に移動させて、内蓋を有する蓋体が閉じられた時に、係止部が被係止部に係止して蓋体がロックされるようにする一方、外蓋から内蓋が取り外された場合に、係止部を、被係止部との係止を解除する位置に移動させて、内蓋を有しない蓋体が閉じられた時に、蓋体が付勢部の付勢力で開放するようにする係止部作動機構を備えるので、内蓋の付け忘れをユーザに容易に気付かせることができる上に、衝突による部品の破損を防ぐことができる
【図面の簡単な説明】
【００１９】
【図１】図１は本発明の一実施形態の電気炊飯器の斜視図である。
【図２】図２は上記電気炊飯器の蓋体を開いた状態の斜視図である。
【図３】図３は図１のIII−III線から見た電気炊飯器の縦端面図である。
【図４】図４は図３の要部の拡大図である。
【図５】図５は上記電気炊飯器の蓋体を開いた状態の縦端面図である。
【図６】図６は図５の要部の拡大図である。
【図７】図７は上記電気炊飯器の蓋体を閉じた状態の縦端面図である。
【図８】図８は図７の要部の拡大図である。
【図９】図９は図１のIX−IX線から見た電気炊飯器の縦端面図である。
【図１０】図１０は上記電気炊飯器の制御ブロック図である。
【発明を実施するための形態】
【００２０】
以下、本発明の電気炊飯器を図示の実施の形態により詳細に説明する。
【００２１】
図１は、本発明の一実施形態の電気炊飯器を斜め上方から見た斜視図である。
【００２２】
上記電気炊飯器は、炊飯器本体１と、この炊飯器本体１に開閉可能に取り付けられた蓋体２とを備えている。
【００２３】
上記炊飯器本体１は、前面側に設けられた表示操作部３と、前面側かつ上側に設けられたフックボタン４と、後面側に回動可能に取り付けられた本体ハンドル５と、後面側かつ下側に接続された電源コード６とを有している。また、蓋体２の後面側に蒸気口２ａを設けている。表示操作部３は、液晶ディスプレイと複数の操作ボタンにより構成され、調理メニューや調理状況などの表示とボタン操作が可能である。
【００２４】
上記蓋体２は、後述するラッチフック１０１でロックすることが可能である。また、蓋体２のロックはフックボタン４を押すと解除されて、スプリング２６（図３に示す）の付勢力で蓋体２が開くようになっている。つまり、スプリング２６は蓋体２を開方向に付勢している。なお、ラッチフック１０１は、係止部の一例であり、かつ、解除部材の一例である。また、フックボタン４は被係止部の一例で、コイルスプリング２６は付勢部の一例である。
【００２５】
図２は、上記電気炊飯器の蓋体２を開いた状態の斜視図である。
【００２６】
上記蓋体２は、外蓋２１および内蓋２２を有して、炊飯器本体１の上側かつ後面側に設けられたヒンジ軸２０（図３に示す）を中心に回動可能に炊飯器本体１に取り付けられている。また、炊飯器本体１内には、被加熱物（例えば米）を収容する内鍋１０が収納可能になっている。
【００２７】
上記内鍋１０の上端は開口しており、この開口の上面視の形状はほぼ円形となっている。そして、内鍋１０は上記開口の周囲にフランジ部１０ａを有している。そして、内鍋１０のフランジ部１０ａには、径方向において互いに対向するように耐熱樹脂製の内鍋把手１１，１１を取り付けている。また、炊飯器本体１の上面の左右２箇所には、それぞれ、凹部１２ａ（図２では右側の１つのみを示す）を設けている。また、内鍋１０は、閉方向に回動させた蓋体２で覆うことが可能である。
【００２８】
図３は図１のIII−III線から見た電気炊飯器の縦端面図である。
【００２９】
上記炊飯器本体１は、外ケース１２と、この外ケース１２内に配置され、内鍋１０が収納される内ケース１３とを有する。この内ケース１３は、耐熱性と電気絶縁性を有する材料で形成されている。
【００３０】
上記外ケース１２と内ケース１３との間の空間の後面側（図３の右側）には、電源回路やインバータ回路などを含む電源部１４を配置し、この電源部１４の下側に電源部１４などを冷却する冷却ファン１５を配置している。さらに、冷却ファン１５の下側かつ外ケース１２の底部上には、電源コード６を巻き取るコードリール７を配置している。
【００３１】
また、上記外ケース１２と内ケース１３との間の空間の前面側（図３の左側）には、表示操作部３（図１，図２に示す）と電源部１４のインバータ回路と冷却ファン１５および攪拌モータ１７などを制御する制御部３０を配置している。
【００３２】
また、上記炊飯器本体１内の内ケース１３の下側には、内鍋１０を誘導加熱するための誘導コイル３１を配置している。この誘導コイル３１は、耐熱性を有する樹脂などにより内ケース１３の内面（内鍋１０に対向する面とは反対側の面）に接着されている。また、内ケース１３の下側には、内ケース１３を貫通する底温度センサ３３も配置している。この底温度センサ３３は、内ケース１３に収納された内鍋１０の傾斜部１０ｃに先端部が当接して、内鍋１０の温度を検出する。
【００３３】
また、上記誘導コイル３１の下側には、誘導コイル３１の漏れ磁束を防止するフェライト部材３９などを配置している。
【００３４】
また、上記炊飯器本体１内には横ヒータ３２を配置している。この横ヒータ３２は、内ケース１３の上側の側部を囲むように周方向に沿って設けられている。そして、蓋体２内には蓋ヒータ３８（図９に示す）と蓋温度センサ３４（図１０に示す）を配置している。
【００３５】
上記誘導コイル３１、横ヒータ３２および蓋ヒータ３８は、内鍋１０全体を加熱する加熱部を構成している。
【００３６】
上記内鍋１０は、例えばアルミニウムなどの高熱伝導部材で形成され、その外面に加熱効率を向上させるステンレスなどの磁性体を貼り付ける一方、内面に被加熱物の付着を防ぐためのフッ素樹脂をコーティングしている。上記高熱伝導部材はプレスまたは鋳造で成型される。また、内鍋１０の底部には、鉛直上方つまり内側に突出する有天筒形状の凸部１０ｂを設けている。この凸部１０ｂには、円板形状の攪拌翼４０を回転可能に嵌合させている。また、内鍋１０の外面において、凸部１０ｂに対応する部分には凹部が形成されている。この内鍋１０の外面の凹部は、内鍋１０の凸部１０ｂの形成に伴って形成される。
【００３７】
上記攪拌翼４０は、保持部６０と、この保持部６０に着脱可能に取り付けられた円板部７０とを有している。そして、保持部６０は、環状のヨーク４１と、このヨーク４１の内側において周方向かつ等間隔に配列された複数の磁石４２とを保持する。
【００３８】
また、上記内ケース１３において内鍋１０の凸部１０ｂの下方に位置する部分には、開口部１３ａが設けられている。さらに、開口部１３ａの下方には、回転軸１７ａを有する攪拌モータ１７を配置している。攪拌モータ１７の回転軸１７ａはロータ８０の軸部８２に連結されている。
【００３９】
上記ロータ８０は周方向かつ等間隔に配列された複数の磁石１８を有している。この複数の磁石１８は、内鍋１０の外面の上記凹部内に収容され、攪拌モータ１７の回転軸１７ａの径方向において攪拌翼４０の複数の磁石４２と磁気カップリングする。これにより、攪拌モータ１７がロータ８０を回転駆動すると、攪拌翼４０も回転駆動できるようになっている。
【００４０】
また、上記ロータ８０はカバー９０で覆われており、内鍋１０の非収納時に露出しないようになっている。このカバー９０は例えば耐熱樹脂で形成される。
【００４１】
一方、上記蓋体２は、炊飯器本体１に回動可能に支持された外蓋２１と、その外蓋２１の内鍋１０に対向する側に着脱可能に取り付けられた内蓋２２とを有している。この内蓋２２の外周には環状の耐熱ゴム製のパッキン２３が着脱可能に取り付けられている。蓋体２が閉じられたときに、パッキン２３は、内鍋１０のフランジ部１０ａの上面に密着して、内鍋１０と内蓋２２との間をシールする。
【００４２】
図４は、図３に示した部分の要部の拡大図である。
【００４３】
上記外蓋２１には、内蓋取付部２７、上方向移動規制部２８、可動部材１００、ラッチフック１０１およびスプリング１０２を設けている。なお、上方向移動規制部２８，可動部材１００，スプリング１０２は係止部作動機構の一例である。また、可動部材１００は阻止部材の一例である。
【００４４】
上記内蓋取付部２７には内蓋２２を着脱可能に取り付ける。また、内蓋取付部２７には、パッキン２３の一部が嵌合する環状の凹部２７ａを設けている。
【００４５】
上記可動部材１００は、可動部材本体部１００ａと、可動部材本体部１００ａの側面に対して略垂直な方向に延びる軸部１００ｂと、可動部材本体部１００ａの後側から後方向に突出する突出部１００ｃとを含んでいる。また、可動部材１００は、外蓋２１に前後方向に移動可能に設けられていると共に、スプリング１０２によって後方向に付勢されている。そして、可動部材１００は、外蓋２１に対する内蓋２２の着脱に連動して前後方向に移動する。このとき、可動部材１００の上方向への移動は上方向移動規制部２８によって規制される。また、可動部材１００の下方には下方向移動規制部（図示せず）を配置している。この下方向移動規制部が、可動部材１００の下方向への移動を規制すると共に、可動部材１００を保持する。また、可動部材１００とパッキン２３の位置関係が図４に示す関係である時には、パッキン２３の前端部（ヒンジ軸２０側とは反対側の端部）と可動部材１００の突出部１００ｃとの係合によって、内蓋２２の取り外しを阻止できるようになっている。なお、上記「後方向」、「前後方向」、「上方向」および「下方向」とは、蓋２１を閉じた状態での「後方向」、「前後方向」、「上方向」および「下方向」を指す。
【００４６】
上記ラッチフック１０１は、外蓋２１に移動可能に取り付けられ、外蓋２１に対する内蓋２２の着脱に連動して移動する。より詳しくは、ラッチフック１０１は、ラッチフック本体部１０１ａと、ラッチフック本体部１０１ａの側面に対して略垂直な方向に延びる軸部１０１ｂとを含んで、軸部１０１ｂを中心に揺動可能になっている。このラッチフック本体部１０１ａの先端部は、内鍋１０側に屈曲してほぼ断面鉤状になっていて、フックボタン４のフック部４ｂの先端部に係脱可能である。また、ラッチフック本体部１０１ａには、一方の側面から他方の側面まで貫通する長孔１０３を設けている。この長孔１０３には可動部材１００の軸部１００ｂを移動可能に挿通している。
【００４７】
上記フックボタン４は炊飯器本体１に前後方向に移動可能に設けられている。このフックボタン４は、フックボタン本体部４ａと、このフックボタン本体部４ａの上面の後側から上方に向かって延びるほぼ断面鉤状のフック部４ｂとから成って、スプリング（図示せず）によって前方向に付勢されている。このフック部４ｂの先端部は、内鍋１０側とは反対側に屈曲し、蓋体２の開放時に露出する。そして、蓋体２の閉鎖時、ラッチフック本体部１０１ａの先端部がフック部４ｂの先端部に係止して、内蓋２２がロックされる。
【００４８】
また、上記フックボタン４を押すと、フックボタン４が後方向に移動することにより、フック部４ｂの先端部に対するラッチフック本体部１０１ａの先端部の係止が解除される。そうすると、図２に示すように、蓋体２がスプリング２６の付勢力によって開方向に回動して開放状態となる。
【００４９】
また、図５，図６に示すように、上記ラッチフック本体部１０１ａの先端部がヒンジ軸２０に近づくように、ラッチフック１０１を揺動させると、可動部材１００がヒンジ軸２０側とは反対側に移動する。これにより、パッキン２３の前端部（ヒンジ軸２０側とは反対側の端部）が可動部材１００の突出部１００ｃと係合できなくなって、外蓋２１から内蓋２２を簡単に取り外すことができるようになる。
【００５０】
図７は、上記電気炊飯器の内蓋２２を取り外して蓋体２を閉じた状態の縦端面図である。また、図８は、図７に示した部分の要部を拡大した図である。
【００５１】
上記可動部材１００は、内蓋２２が取り外された場合に、図７，図８に示すように、ヒンジ軸２０側に移動する。これに連動して、ラッチフック本体部１０１ａの先端部がヒンジ軸２０から離れるように、ラッチフック１０１が揺動する。そして、ラッチフック本体部１０１ａの先端部がヒンジ軸２０から離れた状態はスプリング１０２の付勢力によって保持される。これにより、内蓋２２が取り外された蓋体２を閉じても、ラッチフック本体部１０１ａの先端部がフック部４ｂの先端部に係止することができなくて、内蓋２２がロックされない。そうすると、蓋体２がスプリング２６の付勢力によって開方向に回動して開放される。
【００５２】
また、上記内蓋２２を有しない蓋体２が閉じられた時、可動部材１００は内鍋１０のフランジ部１０ａに衝突しない。
【００５３】
図９は図１のIX−IX線から見た電気炊飯器の縦端面図である。
【００５４】
上記炊飯器本体１の外ケース１２の上面の左右２箇所に設けられた凹部１２ａ，１２ａに、内鍋１０の内鍋把手１１，１１が嵌合させると、内鍋１０は炊飯器本体１に対して位置決めされる。
【００５５】
そして、上記内鍋把手１１内には磁石５０を埋め込んでいる。また、蓋２１の磁石５０上に位置する部分に、蓋体２を閉じたときに磁石５０の磁気によりオンするリードスイッチ２５を取り付けている。なお、上記内鍋把手１１，１１のどちらにも磁石５０を埋め込んでいる。
【００５６】
図１０は上記電気炊飯器の制御ブロック図である。
【００５７】
上記制御部３０は、マイクロコンピュータと入出力回路などからなり、表示操作部３からの操作信号や、リードスイッチ２５，底温度センサ３３，蓋温度センサ３４からの信号などに基づいて、表示操作部３，攪拌モータ１７，冷却ファン１５，誘導コイル用インバータ回路３５，横ヒータ用回路３６および蓋ヒータ用回路３７を制御する。誘導コイル用インバータ回路３５は、誘導コイル３１に交番磁界を発生させる。なお、誘導コイル用インバータ回路３５は誘導加熱部の一例である。
【００５８】
上記誘導コイル用インバータ回路３５，横ヒータ用回路３６，蓋ヒータ用回路３７は、電源部１４（図３に示す）に含まれている。
【００５９】
上記構成の電気炊飯器によれば、外蓋２１に内蓋２２が取り付けられた場合、可動部材１００は、図３，図４に示すように、ラッチフック本体部１０１ａの先端部がフック部４ｂの先端部に係止可能な位置に移動するように、ラッチフック１０１を揺動させる。これにより、内蓋２２を有する蓋体２が閉じられ時に、ラッチフック本体部１０１ａの先端部がフック部４ｂの先端部に係止する結果、蓋体２がロックされる。
【００６０】
一方、上記外蓋２１から内蓋２２が取り外された場合、可動部材１００は、図７，図８に示すように、ラッチフック本体部１０１ａの先端部が、フック部４ｂの先端部との係止を解除する位置、つまり、フック部４ｂの先端部に係止不可能な位置に移動するように、ラッチフック１０１を揺動させる。これにより、内蓋２２を有しない蓋体２が閉じられた時に、ラッチフック本体部１０１ａの先端部がフック部４ｂの先端部に係止しない結果、蓋体２がロックされずにスプリング２６の付勢力で開放する。また、内蓋２２を有しない蓋体２が閉じられた時、可動部材１００は内鍋１０のフランジ部１０ａに衝突しない。
【００６１】
したがって、ユーザが外蓋２１に内蓋２２を付け忘れた場合、蓋体２を閉じても、蓋体２がスプリング２６の付勢力で開放するので、内蓋２２の付け忘れに容易に気付くことができる。
【００６２】
また、従来（特開２０００−２３８３４号公報）の如く、外蓋に内蓋を取り付けていない場合に、蓋体を半開きにするために、部材同士を衝突させるのではなくて、外蓋２１に内蓋２２を取り付けていない場合に、コイルスプリング２６の付勢力によって蓋体２を開放させるために、ラッチフック１０１のフックボタン４への係止を不可能にするので、衝突による部品の破損を防ぐことができる。
【００６３】
また、上記外蓋２１に内蓋２２が取り付けられた場合、図３，図４に示すように、可動部材１００は内蓋２２の取り外しを阻止するので、例えば子供の悪戯による内蓋２２の取り外しを防ぐことができる。
【００６４】
また、図５，図６に示すように、上記ラッチフック本体部１０１ａの先端部がヒンジ軸２０に近づくように、ラッチフック１０１を揺動させることによって、可動部材１００による内蓋２２の取り外しの阻止が解除されるので、外蓋２１から内蓋２２を簡単に取り外すことができる。
【００６５】
上記実施形態では、外蓋２１に内蓋２２を取り付けていない場合に、コイルスプリング２６の付勢力によって蓋体２を全開の状態にしていたが、例えば、コイルスプリング２６の付勢力によって蓋体２を半開きの状態にしてもよい。すなわち、外蓋２１に内蓋２２を取り付けていない場合、閉鎖状態以外の状態であれば、１／４開きや１／３開きなどの状態に蓋体２をしてもよい。
【００６６】
上記実施形態において、ラッチフック１０１に換えて、例えば、外蓋２１に前後方向にスライド可能に取り付けられ、フックボタン４のフック部４ｂに係脱可能な係止部は用いてもよい。
【００６７】
上記実施形態において、ラッチフック１０１とは別に、可動部材１００による内蓋２２の取り外しの阻止を解除する解除部材を設けてもよい。
【００６８】
上記実施形態では、攪拌翼４０の磁石４２はロータ８０の磁石１８と回転軸１７ａの径方向において磁気カップリングするようにしていたが、ロータ８０の磁石１８と回転軸１７ａの軸方向において磁気カップリングするようにしてもよい。攪拌翼４０の磁石４２とロータ８０の磁石１８とを回転軸１７ａの軸方向において磁気カップリングさせる場合、凸部１０ｂのような凸部を有さない内鍋を用いてもよい。
【００６９】
上記実施形態において、攪拌モータ１７およびロータ８０の換わりに、例えば同期モータのステータヨークのように、ステータヨークと、このステータヨークに巻き付けられた複数のコイルと、この複数のコイルに回転磁界を生成するための交流電源とを用いてもよい。このステータヨークおよび交流電源によって、回転磁界を発生させることにより、磁気カップリングした攪拌翼４０を回転駆動させることができる。要するに、回転磁界を発生できる装置であれば、内鍋１０の底部の外面の凹部内に収容してもよい。
【００７０】
本発明の具体的な実施の形態について説明したが、本発明は上記実施の形態に限定されるものではなく、攪拌翼４０を搭載しない電気炊飯器にも適用でき、本発明の範囲内で種々変更して実施することができる。
【符号の説明】
【００７１】
１…炊飯器本体
２…蓋体
２ａ…蒸気口
３…表示操作部
４…フックボタン
５…本体ハンドル
６…電源コード
７…コードリール
１０，２１０，３１０…内鍋
１０Ａ…高熱伝導部材
１０Ｂ…磁性体層
１０ａ…フランジ部
１０ｅ…凸部
１１…内鍋把手
１２…外ケース
１２ａ…凹部
１３…内ケース
１４…電源部
１５…冷却ファン
１６…ロータ
１７…攪拌モータ
１８…磁石
２０…ヒンジ軸
２１…外蓋
２２…内蓋
２３…パッキン
２４…蒸気穴
２５…リードスイッチ
２６…スプリング
２８…上方向移動規制部
３０…制御部
３１…誘導コイル
３２…横ヒータ
３３…底温度センサ
３４…蓋温度センサ
３５…誘導コイル用インバータ回路
３６…横ヒータ用回路
３７…蓋ヒータ用回路
３８…蓋ヒータ
３９…フェライト部材
４０…攪拌翼
４１…ヨーク
４２…磁石
５０…磁石
１００…可動部材
１０１…ラッチフック
１０２…スプリング
【図１】
2011156216.tif 000003
【図２】
2011156216.tif 000004
【図３】
2011156216.tif 000005
【図４】
2011156216.tif 000006
【図５】
2011156216.tif 000007
【図６】
2011156216.tif 000008
【図７】
2011156216.tif 000009
【図８】
2011156216.tif 000010
【図９】
2011156216.tif 000011
【図１０】
2011156216.tif 000012